(57)【要約】【課題】壁面に対する平面ディスプレイの取り付け、取り外しを容易にし、マルチディスプレイ装置にも適用可能なディスプレイ構造を提供する。【解決手段】ディスプレイ構造は、壁面１に取り付け可能な背面ユニット１０と、電源基板を格納した電源基板ユニット２０と、平面ディスプレイを格納した表示ユニット３０との少なくとも３つのユニットで構成され、背面ユニット１０は、壁面１側の面と反対側の面に電源基板ユニット２０及び表示ユニット３０を着脱可能に取り付けるための取付部材１１を有し、電源基板ユニット２０と表示ユニット３０とは、電源基板ユニット２０が表示ユニット３０よりも背面ユニット１０側に位置するように、取付部材１１に対して、それぞれ取り付けられている。【選択図】図１
2012147147.tif 000002
【特許請求の範囲】
【請求項１】
平面ディスプレイを壁面に取り付けるためのディスプレイ構造であって、
前記壁面に取り付け可能な背面ユニットと、電源基板を格納した電源基板ユニットと、前記平面ディスプレイを格納した表示ユニットとの少なくとも３つのユニットで構成され、
前記背面ユニットは、前記壁面側の面と反対側の面に前記電源基板ユニット及び前記表示ユニットを着脱可能に取り付けるための取付部材を有し、前記電源基板ユニットと前記表示ユニットとは、前記電源基板ユニットが前記表示ユニットよりも前記背面ユニット側に位置するように、前記取付部材に対して、それぞれ取り付けられていることを特徴とするディスプレイ構造。
【請求項２】
前記取付部材は、前記電源基板ユニット及び前記表示ユニットを引っ掛けて固定するためのアングル部材で構成され、該アングル部材は、その両端部が中央部よりも前記表示ユニット側に突出しており、前記電源基板ユニットが前記アングル部材の中央部に引っ掛けられ、前記表示ユニットが前記アングル部材の両端部に引っ掛けられていることを特徴とする請求項１に記載のディスプレイ構造。
【請求項３】
前記取付部材は、前記電源基板ユニット及び前記表示ユニットを固定するための板状部材で構成され、該板状部材の中央部に前記電源基板ユニットがビス止め固定され、前記板状部材の外縁部に設けられた嵌込部材に前記表示ユニットが嵌め込み固定されていることを特徴とする請求項１に記載のディスプレイ構造。
【請求項４】
前記電源基板ユニットと前記表示ユニットとは伸縮自在のハーネスにより有線接続されていることを特徴とする請求項１〜３のいずれか１項に記載のディスプレイ構造。
【請求項５】
請求項１〜４のいずれか１項に記載のディスプレイ構造を持つ前記平面ディスプレイを複数配置して構成されたことを特徴とするマルチディスプレイ装置。
【請求項６】
前記背面ユニットは、前記ディスプレイ構造を持つ前記平面ディスプレイを複数配置したときに全体として構成される画面サイズに応じたサイズを有し、前記平面ディスプレイを配置する各位置に前記取付部材が配置されていることを特徴とする請求項５に記載のマルチディスプレイ装置。
【請求項７】
前記ディスプレイ構造を持つ前記平面ディスプレイを複数配置したときに全体として構成される画面サイズに応じたサイズの前面ユニットを備え、該前面ユニットは、前記マルチディスプレイ装置の外縁に合わせて形成されたフレームを有することを特徴とする請求項５または６に記載のマルチディスプレイ装置。
【請求項８】
前記前面ユニットは、さらに、前記マルチディスプレイ装置を構成する各前記平面ディスプレイの隣り合う縁部分に合わせて形成されたフレームを有することを特徴とする請求項７に記載のマルチディスプレイ装置。
【発明の詳細な説明】
【技術分野】
【０００１】
本発明は、ディスプレイ構造及びマルチディスプレイ装置に関し、より詳細には、液晶表示装置などの平面ディスプレイをユニット化し、壁面に前面から取り付けることができるディスプレイ構造及び該構造を用いたマルチディスプレイ装置に関する。
【背景技術】
【０００２】
近年の液晶表示装置は薄型化し、同時に大画面化が進んでいる。それに伴い、使用方法も床面等に「置く」式から、壁面等に「掛ける」式へとシフトしてきている。このような平面ディスプレイはそのまま壁面に取り付けることはできないため、まず、壁面の内部に補強部を設け、平面ディスプレイを掛けるための取り付け具を設置する。そして、平面ディスプレイの本体側にも取り付け具に掛けるための何らかのジョイント部品を施すことで壁面への取り付けを行う。すなわち、壁面と平面ディスプレイの間には取り付け用の取り付け具を介在させている。
【０００３】
上記のような壁面取り付け具に対し、フック状のオプションなどのジョイント部品を用いて固定する場合、これらのパーツ分ディスプレイ本体が前に突き出る形となり厚みが増すこととなる。加えて壁面と、ディスプレイ本体との間にジョイント部品を挟むため、集中して荷重が掛かりやすく、接点も小さく、安定性に欠ける。さらに、ディスプレイ本体は完成品の状態であるため、重量があり、設置の際に少人数での作業が困難である。また、平面ディスプレイの修理や調整を行う場合にも、重たい平面ディスプレイを一旦取り外し、これを分解、組立する必要があり、作業時間、作業工程が増加し、効率的ではない。また、平面ディスプレイの構造は複雑であり、分解、組立が容易ではないため、サービス担当者などの平面ディスプレイの構造に精通した者でなければ簡単には作業できない。
【０００４】
これに対して、例えば、特許文献１には、壁面に固定可能な取付パネルと、取付パネルの正面側に固定されるテレビ取付具とを備えた薄型テレビ取付用壁面ユニット（壁面ユニット）が記載されている。テレビ取付具は、取付パネルに固定されている基枠と、テレビ背面側に取り付けた状態で基枠の所要の箇所に掛けて取り付け可能な掛け具とを有する。これによれば、壁面に対して正面からテレビの固定作業を行うことが可能となる。また、壁面ユニットは壁面の一部が覆われるようにテレビ本体よりも大型化されている。従って、この壁面ユニットを壁面に設置した場合、設置面積が大幅に増加するため、十分な設置強度を得ることができる。
【先行技術文献】
【特許文献】
【０００５】
【特許文献１】特開２００９−７１７１１号公報
【発明の概要】
【発明が解決しようとする課題】
【０００６】
しかしながら、特許文献１に記載の構造では、ディスプレイ本体は完成品の状態で重量があるため、壁面に取り付ける場合や、修理や調整等で取り外す場合に、少人数での作業は困難である。その上、ディスプレイ本体に加え壁面ユニットを使用するとなると、全体の重量はさらに増加し、設置などの作業時に負担が大きくなってしまう。また、特許文献１の構造では、平面ディスプレイを単体として使うことのみ想定しているが、平面ディスプレイを複数用いてマルチディスプレイとして使用する場合には、平面ディスプレイ毎に壁面ユニットを配置することになる。しかし、この壁面ユニットは壁面の一部を覆えるように平面ディスプレイに対して大き目に作られているため、個々の壁面ユニットが互いに干渉してしまい、複数の平面ディスプレイをうまく配置することができない。
【０００７】
本発明は、上述のような実情に鑑みてなされたもので、壁面に対する平面ディスプレイの取り付け、取り外しを容易にし、マルチディスプレイ装置にも適用可能なディスプレイ構造及び該構造を備えたマルチディスプレイ装置を提供すること、を目的とする。
【課題を解決するための手段】
【０００８】
上記課題を解決するために、本発明の第１の技術手段は、平面ディスプレイを壁面に取り付けるためのディスプレイ構造であって、前記壁面に取り付け可能な背面ユニットと、電源基板を格納した電源基板ユニットと、前記平面ディスプレイを格納した表示ユニットとの少なくとも３つのユニットで構成され、前記背面ユニットは、前記壁面側の面と反対側の面に前記電源基板ユニット及び前記表示ユニットを着脱可能に取り付けるための取付部材を有し、前記電源基板ユニットと前記表示ユニットとは、前記電源基板ユニットが前記表示ユニットよりも前記背面ユニット側に位置するように、前記取付部材に対して、それぞれ取り付けられていることを特徴としたものである。
【０００９】
第２の技術手段は、第１の技術手段において、前記取付部材は、前記電源基板ユニット及び前記表示ユニットを引っ掛けて固定するためのアングル部材で構成され、該アングル部材は、その両端部が中央部よりも前記表示ユニット側に突出しており、前記電源基板ユニットが前記アングル部材の中央部に引っ掛けられ、前記表示ユニットが前記アングル部材の両端部に引っ掛けられていることを特徴としたものである。
【００１０】
第３の技術手段は、第１の技術手段において、前記取付部材は、前記電源基板ユニット及び前記表示ユニットを固定するための板状部材で構成され、該板状部材の中央部に前記電源基板ユニットがビス止め固定され、前記板状部材の外縁部に設けられた嵌込部材に前記表示ユニットが嵌め込み固定されていることを特徴としたものである。
【００１１】
第４の技術手段は、第１〜第３のいずれか１の技術手段において、前記電源基板ユニットと前記表示ユニットとは伸縮自在のハーネスにより有線接続されていることを特徴としたものである。
【００１２】
第５の技術手段は、第１〜第４のいずれか１の技術手段におけるディスプレイ構造を持つ前記平面ディスプレイを複数配置して構成されたことを特徴とするマルチディスプレイ装置である。
【００１３】
第６の技術手段は、第５の技術手段において、前記背面ユニットは、前記ディスプレイ構造を持つ前記平面ディスプレイを複数配置したときに全体として構成される画面サイズに応じたサイズを有し、前記平面ディスプレイを配置する各位置に前記取付部材が配置されていることを特徴としたものである。
【００１４】
第７の技術手段は、第５又は第６の技術手段において、前記ディスプレイ構造を持つ前記平面ディスプレイを複数配置したときに全体として構成される画面サイズに応じたサイズの前面ユニットを備え、該前面ユニットは、前記マルチディスプレイ装置の外縁に合わせて形成されたフレームを有することを特徴としたものである。
【００１５】
第８の技術手段は、第７の技術手段において、前記前面ユニットは、さらに、前記マルチディスプレイ装置を構成する各前記平面ディスプレイの隣り合う縁部分に合わせて形成されたフレームを有することを特徴としたものである。
【発明の効果】
【００１６】
本発明によれば、平面ディスプレイを複数のユニットに分離し、各ユニットを前方から順番に取り付けることができるため、壁面に対する平面ディスプレイの取り付け、取り外しを容易にし、また、平面ディスプレイがユニット化されているため、修理や調整等をユニット毎に行うことができ、作業性の向上を図ることができる。また、このようなディスプレイ構造をマルチディスプレイ装置に適用することで、マルチディスプレイ装置の組み立てを容易に行うことができる。
【図面の簡単な説明】
【００１７】
【図１】本発明の第１の実施形態に係るディスプレイ構造を横及び上から見た場合の断面図である。
【図２】図１のディスプレイ構造を各ユニットに分離した状態を示す図である。
【図３】前面ユニットの固定方法の一例を示す図である。
【図４】背面ユニット及びアングル部材を前面から見た図である。
【図５】電源基板ユニットを正面及び背面から見た図である。
【図６】背面ユニットのアングル部材に電源基板ユニットを取り付けた状態を示す図である。
【図７】表示ユニットを背面から見た図である。
【図８】前面ユニットを前面から見た図である。
【図９】本発明の第２の実施形態に係るディスプレイ構造を横及び上から見た場合の断面図である。
【図１０】図９のディスプレイ構造を各ユニットに分離した状態を示す図である。
【図１１】背面ユニット及び板状部材を前面から見た状態を示す図である。
【図１２】電源基板ユニットを正面から見た図である。
【図１３】表示ユニットを背面から見た図である。
【図１４】前面ユニットを前面から見た図である。
【図１５】電源基板ユニットと表示ユニットとを有線接続するためのハーネスの一例を示す図である。
【図１６】図１５の伸縮型ハーネスを用いた場合の電源基板ユニットと表示ユニットの取り付け状態を模式的に示した図である。
【図１７】マルチディスプレイ装置として使用する場合に大型化された背面ユニットの一例を示す図である。
【図１８】図１７（Ａ）に示す背面ユニットに対して、電源基板ユニット及び表示ユニットを取り付けた状態の一例を示す図である。
【図１９】本発明によるマルチディスプレイ装置に適用される前面ユニットの一例を示す図である。
【発明を実施するための形態】
【００１８】
以下、添付図面を参照しながら、本発明のディスプレイ構造及び該構造を備えたマルチディスプレイ装置に係る好適な実施の形態について説明する。
【００１９】
（第１の実施形態）
図１〜図８は、本発明の第１の実施形態に係るディスプレイ構造の一例を説明するための図である。図中、１は壁面、１０は背面ユニット、１１は取付部材、２０は電源基板ユニット、３０は表示モジュール、４０は前面ユニットを示す。図１（Ａ）は本発明の第１の実施形態に係るディスプレイ構造を横から見た場合の断面図で、図１（Ｂ）は本発明の第１の実施形態に係るディスプレイ構造を上から見た場合の断面図である。図２（Ａ）は図１（Ａ）のディスプレイ構造を各ユニットに分離した状態を示す図で、図２（Ｂ）は図１（Ｂ）のディスプレイ構造を各ユニットに分離した状態を示す図である。図３は前面ユニット４０の固定方法の一例を示す図である。
【００２０】
本発明の主たる特徴部分は、壁面に対する平面ディスプレイの取り付け、取り外しを容易にし、この平面ディスプレイを複数配置してマルチディスプレイ装置として構成した場合でも組立を容易に行えるようにすることにある。このための構成として、本発明によるディスプレイ構造は、少なくとも３つのユニット、すなわち、壁面１に取り付け可能な背面ユニット１０と、電源基板を格納した電源基板ユニット２０と、液晶表示装置などの平面ディスプレイを格納した表示ユニット３０とを備える。
【００２１】
背面ユニット１０は、壁面１側の面と反対側の面に電源基板ユニット２０及び表示ユニット３０を着脱可能に取り付けるための取付部材１１を有し、電源基板ユニット２０と表示ユニット３０とは、電源基板ユニット２０が表示ユニット３０よりも背面ユニット１０側に位置するように、取付部材１１に対して、それぞれ取り付けられている。本実施形態では前面ユニット４０を別部材として備える構成を例示して説明するが、表示ユニット３０と前面ユニット４０とが一体的に構成されていてもよい。なお、ここでいう壁面１は、平面ディスプレイを取り付け可能な全ての壁面を対象とし、平面ディスプレイが設置されるリビングルーム等の壁面に限らず、例えば、テレビスタンドの取付壁面なども含まれる。
【００２２】
本実施形態では、平面ディスプレイの一例である液晶表示装置を、４つのユニット、すなわち、背面ユニット１０、電源基板ユニット２０、表示ユニット３０、及び前面ユニット４０の４つに分けて構成している。図２に示すように、背面ユニット１０には取付部材１１が設けられ、取付部材１１は電源基板ユニット２０及び表示ユニット３０を引っ掛けて固定するためのアングル部材（以下、アングル部材１１′という）で構成される。アングル部材１１′は、例えば、金属製の部材であり、その両端部１１ａが中央部１１ｂよりも表示ユニット３０側に突出しており、電源基板ユニット２０の引掛け具（フック部材）２１がアングル部材１１′の中央部１１ｂに引っ掛けられ、表示ユニット３０の引掛け具（フック部材）３１がアングル部材１１′の両端部１１ａに引っ掛けられるようになっている。
【００２３】
上記のような形状のアングル部材１１′を用いることで、電源基板ユニット２０による荷重を中央部に、表示ユニット３０による荷重を両端部にそれぞれ分散させることができるため、各ユニットを固定したときの荷重の集中を防止することができる。また、表示ユニット３０をアングル部材１１′の両端部に引っ掛けるように固定するため、両端部におけるモーメントが釣り合い、回転し難くなり、安定した状態で取り付けが可能となる。
【００２４】
本発明によるディスプレイ構造を持つ液晶表示装置の壁面１への取付方法について図２に基づき具体的に説明する。背面ユニット１０にはアングル部材１１′の取付位置に対応する位置にボルト固定用の孔（図示せず）が設けられ、アングル部材１１′にも同様にボルト固定用の孔（図示せず）が設けられている。まず、背面ユニット１０のボルト固定用孔に、アングル部材１１′のボルト固定用孔を合わせてセットし、背面ユニット１０をアングル部材１１′と共に、ボルト１１１を用いて壁面１に固定する。本例では、アングル部材１１′を上下２段に配置しており、各アングル部材１１′にはボルト固定用孔が３つ設けられている。従って、背面ユニット１０の対応箇所にもボルト固定用孔が３つずつ計６つ設けられ、背面ユニット１０及びアングル部材１１′は壁面１に対してボルト１１１により６点で固定される。
【００２５】
そして、各アングル部材１１′の中央部１１ｂに電源基板ユニット２０の引掛け具２１を引っ掛けて取り付け、各アングル部材１１′の両端部１１ａに表示ユニット３０の引掛け具３１を引っ掛けて取り付ける。電源基板ユニット２０及び表示ユニット３０の両ユニット共に、アングル部材１１′の上から引っ掛けるようにして掛着固定を行うだけでよいため着脱を容易に行うことができる。そして最後に、前面ユニット４０を、電源基板ユニット２０及び表示ユニット３０を覆うように被せ、例えば、表示ユニット３０の側面にビス４０１（図１（Ｂ）に示す）で固定することで取り付ける。あるいは、図３に示すように、表示ユニット３０の嵌合部４０２に背面ユニット１０の突起部１１２を嵌め込むようにして固定してもよい。
【００２６】
このように、平面ディスプレイを複数のユニットに分離し、各ユニットを前方から順番に取り付けることができるため、壁面に対する平面ディスプレイの取り付け、取り外しを容易にし、また、平面ディスプレイがユニット化されているため、修理や調整等をユニット毎に行うことができ、作業性の向上を図ることができる。
【００２７】
図４は、背面ユニット１０及びアングル部材１１′を前面から見た図である。図５（Ａ）は電源基板ユニット２０を正面から見た図で、図５（Ｂ）は電源基板ユニット２０を背面から見た図である。図６は、背面ユニット１０のアングル部材１１′に電源基板ユニット２０を取り付けた状態を示す図である。図７は、表示ユニット３０を背面から見た図である。図８は、前面ユニット４０を前面から見た図である。
【００２８】
図４において、前述したように、背面ユニット１０は、アングル部材１１′と共に、ボルト１１１を用いて壁面１に固定される。本例では、アングル部材１１′を上下２段に配置しており、各アングル部材１１′にはボルト固定用孔が３つ設けられている。従って、背面ユニット１０及びアングル部材１１′は壁面１に対してボルト１１１により６点で固定される。もちろん、背面ユニット１０及びアングル部材１１′を壁面１に対して何点で固定するかは、平面ディスプレイのサイズ、重量などに応じて適宜決めることができる。
【００２９】
図５の電源基板ユニット２０は、電源基板ボックス、電源スイッチ、ＡＣ電源などを含むユニットであり、表示ユニット３０と後述の図１５に示すような伸縮自在のハーネスにより有線接続される。この電源基板ユニット２０は、アングル部材１１′の中央部１１ｂに引っ掛かるように引掛け具２１を有しており、図６に示すように、各アングル部材１１′の中央部１１ｂに電源基板ユニット２０の引掛け具２１を引っ掛けて取り付けられる。
【００３０】
図７の表示ユニット３０は、液晶モジュール、コントローラ基板、インバータ基板などを含むユニットである。この表示ユニット３０は、アングル部材１１′の両端部１１ａに引っ掛かるように引掛け具３１を有しており、図６のように電源基板ユニット２０を取り付けた後に、各アングル部材１１′の両端部１１ａに表示ユニット３０の引掛け具３１を引っ掛けて取り付ける。図８の前面ユニット４０は、表示ユニット３０の外枠となるフレーム部材であり、前述した方法により、表示ユニット３０あるいは背面ユニット１０に固定される。
【００３１】
このように、平面ディスプレイをユニット化することにより、壁面に取り付ける際、電源基板ユニット、表示ユニットの順番で取り付けていくことが可能となるため、壁面に取り付ける際の作業効率が大幅に向上する。また、平面ディスプレイの内側から壁面に固定するためのボルト・ナットなど留め具による固定作業が正面から行われるため、取り付け、取り外しといった作業が容易になる。また、平面ディスプレイの内側から固定することにより、平面ディスプレイと壁面を密着させた状態で設置することができ、互いの接触面が増えるため、壁面設置時の安定性が増加する。さらに、ユニット化したことで、ユニット単体の重量が軽くなり、持ち運びや壁面への取り付け、取り外しの際に、作業者への負担も減少する。これらの効果は平面ディスプレイが設置されるリビングルーム等の壁面に限らず、テレビスタンドの取付壁面などに適用した場合でも同様である。
【００３２】
また、本実施形態では、平面ディスプレイの構造上、各ユニットは初期状態では互いに固定されていないため、背面ユニットに設けたアングル部材に電源基板ユニットと表示ユニットを引っ掛けるようにして取り付ける。これにより、ビスによる固定作業をできるだけ排除すると共に、金属製のアングル部材の使用により表示ユニットを壁面に取り付けて支えるための強度を得ることができる。また、電源基板ユニット及び表示ユニットをアングル部材に引っ掛けるだけで良いため、組立効率も向上する。また、アングル部材は背面ユニットを壁面に固定する際の補強部材としての役割も果たすことができる。
【００３３】
（第２の実施形態）
図９〜図１４は、本発明の第２の実施形態に係るディスプレイ構造の一例を説明するための図である。図中、１２は背面ユニット、１３は取付部材、２２は電源基板ユニット、３２は表示ユニット、４１は前面ユニットを示す。図９（Ａ）は本発明の第２の実施形態に係るディスプレイ構造を横から見た場合の断面図で、図９（Ｂ）は本発明の第２の実施形態に係るディスプレイ構造を上から見た場合の断面図である。図１０（Ａ）は図９（Ａ）のディスプレイ構造を各ユニットに分離した状態を示す図で、図１０（Ｂ）は図９（Ｂ）のディスプレイ構造を各ユニットに分離した状態を示す図である。
【００３４】
図９に示すように、背面ユニット１２には取付部材１３が設けられ、取付部材１３は電源基板ユニット２２及び表示ユニット３２を固定するための板状部材（以下、板状部材１３′という）で構成される。板状部材１３′は、例えば、金属製の部材（金属板）であり、板状部材１３′の中央部に電源基板ユニット２２のビス止め固定部２３（図１０）がビスで固定され、板状部材１３′の外縁部（本例では四隅）に設けられた嵌込部材（凹部材）１４に表示ユニット３２に設けられた凸部材３３が嵌め込まれるようになっている。なお、凹凸の関係を逆にして、板状部材１３′に凸部材３３、表示ユニット３２に凹部材１４を設けるようにしてもよい。また、凹部材１４の個数は四隅の４つに限定されるものでなく、平面ディスプレイの大きさ、重量などに応じて適宜設けるようにすればよい。
【００３５】
本発明によるディスプレイ構造を持つ液晶表示装置の壁面１への取付方法について図１０に基づき具体的に説明する。背面ユニット１２には板状部材１３′の取付位置に対応する位置にボルト固定用の孔（図示せず）が設けられ、板状部材１３′にも同様にボルト固定用の孔（図示せず）が設けられている。まず、背面ユニット１２のボルト固定用孔に、板状部材１３′のボルト固定用孔を合わせてセットし、背面ユニット１２を板状部材１３′と共に、ボルト１３１を用いて壁面１に固定する。本例では、板状部材１３′の略中央部にボルト固定用孔が６つ設けられている。従って、背面ユニット１２の対応箇所にも６つのボルト固定用孔が設けられ、背面ユニット１２及び板状部材１３′は壁面１に対してボルト１３１により６点で固定される。
【００３６】
そして、板状部材１３′の中央部に電源基板ユニット２２のビス止め固定部２３をビスで固定し、板状部材１３′の四隅に設けられた凹部材１４に表示ユニット３２の凸部材３３を嵌め込んで取り付ける。このように、電源基板ユニット２２をビス止め固定、表示ユニット３２を嵌込固定するだけでよいため着脱を容易に行うことができる。そして最後に、前面ユニット４１を、電源基板ユニット２２及び表示ユニット３２を覆うように被せ、例えば、表示ユニット３２の側面にビス４１１（図９（Ｂ）に示す）で固定することで取り付ける。あるいは、前述の図３と同様に、表示ユニットの嵌合部に背面ユニットの突起部を嵌め込むようにして固定してもよい。
【００３７】
図１１（Ａ）は背面ユニット１２及び板状部材１３′を前面から見た図で、図１１（Ｂ）は嵌込部材の一例を示す図で、図１１（Ｃ）は嵌込部材の他の例を示す図である。図１２は、電源基板ユニット２２を正面から見た図である。図１３は、表示ユニット３２を背面から見た図である。図１４は、前面ユニット４１を前面から見た図である。
【００３８】
図１１（Ａ）において、前述したように、背面ユニット１２は、板状部材１３′と共に、ボルト１３１を用いて壁面１に固定される。また、板状部材１３′の中央部分には電源基板ユニット２２を固定するためのビス穴１５が設けられ、板状部材１３′の四隅には表示ユニット３２を固定するための凹部材１４が設けられている。この凹部材１４は、図１１（Ｂ）に示すように、１本のビス１４１で板状部材１３′に固定されており、この凹部材１４に、表示ユニット３２の凸部材３３が嵌め込まれるようになっている。
【００３９】
なお、図１１（Ｂ）の形状だと、１本のビス１４１で固定されることになるが、１本のビスでは、凹部材１４が回転してしまったり、固定時の強度が不足する恐れがある。このため、図１１（Ｃ）に示すような形状としてもよい。この形状の凹部材１４′では２本のビス１４１で板状部材１３′に固定されるため、回転防止、強度増加を図ることができる。そして、この凹部材１４′に対応して、表示ユニット３２の凸部材３３′が嵌め込まれるようになっている。
【００４０】
図１２の電源基板ユニット２２は、電源基板ボックス、電源スイッチ、ＡＣ電源などを含むユニットであり、表示ユニット３２と後述の図１５に示すような伸縮自在のハーネスにより有線接続される。この電源基板ユニット２２は、板状部材１３′にビス止め固定するためのビス止め固定部２３を有しており、図１１（Ａ）に示す板状部材１３′のビス穴１５に電源基板ユニット２２のビス止め固定部２３をビス止めして取り付けられる。
【００４１】
図１３の表示ユニット３２は、液晶モジュール、コントローラ基板、インバータ基板などを含むユニットである。この表示ユニット３２は、図１０に示すような凸部材３３を有し、板状部材１３′の中央部分に電源基板ユニット２２が固定された後、この凸部材３３が板状部材１３′の四隅に設けられた凹部材１４に嵌め込み固定される。図１４の前面ユニット４１は、表示ユニット３２の外枠となるフレーム部材であり、前述した方法により、表示ユニット３２あるいは背面ユニット１２に固定される。
【００４２】
本実施形態では、平面ディスプレイの構造上、各ユニットは初期状態では互いに固定されていないため、背面ユニットに設けた板状部材に電源基板ユニットをビス止めし、表示ユニットは板状部材に設けた嵌込部材にて固定される。これにより、表示ユニットに対して比較的重量の軽い電源基板ユニットはビス止めによる固定で十分強度が得られ、表示ユニットの取り付けではビス止めを不要にすることができる。そして、このようなビス止め・嵌め込み構造にすることで、ディスプレイ正面から取り付け、取り外しが可能となる。また、板状部材は背面ユニットを壁面に固定する際の補強部材としての役割も果たすことができる。
【００４３】
図１５は、電源基板ユニット２０と表示ユニット３０とを有線接続するためのハーネスの一例を示す図で、図中、５０はハーネスを示す。このハーネス５０は、ハーネス５０を伸縮自在に巻き取るための巻き取り部５１と、電源基板ユニット２０及び表示ユニット３０に対応した２つのコネクタ部５２とで構成されている。本発明では、平面ディスプレイを構成する各ユニットを壁面に取り付けながら組み立てることを想定しており、背面ユニット１０に対して、電源基板ユニット２０を取り付けた後に、表示ユニット３０を取り付けるが、この工程の中で電源基板ユニット２０と表示ユニット３０とを接続する必要がある。
【００４４】
上記において、電源基板ユニット２０と表示ユニット３０との接続に短いハーネスを用いた場合、電源基板ユニット２０と表示ユニット３０とを接近させた状態でなければ接続することができない。さらに、２つのユニットをハーネスで接続した後に、表示ユニット３０を取り付けることになるため、短いハーネスだと表示ユニット３０を自由に動かすことができず、作業性が悪い。また、逆に、長いハーネスを用いた場合、電源基板ユニット２０と表示ユニット３０とを離した状態で接続することができるが、その反面、ハーネス接続後に表示ユニット３０を取り付ける際に、長いハーネスの収納を考慮しなくてはならず、やはり作業性が悪い。
【００４５】
図１６は、図１５の伸縮型ハーネス５０を用いた場合の電源基板ユニット２０と表示ユニット３０の取り付け状態を模式的に示した図である。図１５の伸縮型ハーネス５０を用いることで、上記のような問題に対して、図１６（Ａ）に示すように、電源基板ユニット２０と表示ユニット３０の距離を離したまま、２つのユニットをハーネス５０により接続することができる。また、図１６（Ｂ）に示すように、表示ユニット３０の取り付け後はハーネス５０が自動的に巻き取られるため、筐体内にコンパクトに収納することができる。
【００４６】
このように平面ディスプレイの構造上、電源基板ユニットと表示ユニットは初期状態では接続されておらず、壁面への取り付け作業の過程で２つのユニットを接続する必要がある。このため、伸縮自在のハーネスを使用することにより、これら２つのユニットを取り付ける際の自由度が上がるため、作業性、組立性が向上する。また、組立後はハーネスが最低限必要な長さまで縮むため、配線の混雑を防止することができる。
【００４７】
ここで、第１の実施形態では、背面ユニットの取付部材に対して、電源基板ユニット及び表示ユニットを引っ掛けて固定する掛着固定とし、また、第２の実施形態では、背面ユニットの取付部材に対して、電源基板ユニットをビス止め固定及び表示ユニットを嵌込固定としたが、本発明によるディスプレイ構造はこれらの固定方法に限定されるものではない。例えば、電源基板ユニット，表示ユニットそれぞれのサイズや重量等に応じて、掛着固定、ビス止め固定、嵌込固定を適宜組み合わせるようにしてもよい。
【００４８】
（第３の実施形態）
本実施形態では、前述の第１、第２の実施形態で説明した本発明によるディスプレイ構造を持つ平面ディスプレイを複数配置してマルチディスプレイ装置を構成した場合について説明する。
【００４９】
図１７は、マルチディスプレイ装置として使用する場合に大型化された背面ユニットの一例を示す図である。図１７（Ａ）は第１の実施形態で説明したアングル部材１１′を用いた場合の背面ユニットの例を示し、図１７（Ｂ）は第２の実施形態で説明した板状部材１３′を用いた場合の背面ユニットの例を示す。
【００５０】
図１７（Ａ）の背面ユニット１６あるいは図１７（Ｂ）の背面ユニット１７は、前述のディスプレイ構造を持つ平面ディスプレイを複数配置したときに全体として構成される画面サイズに応じたサイズを有し、平面ディスプレイを配置する各位置に取付部材（アングル部材１１′または板状部材１３′）が配置されている。この例では、４つの平面ディスプレイを２×２に配置する場合について示しているが、このような配置例に限定されるものではない。
【００５１】
図１８は、図１７（Ａ）に示す背面ユニット１６に対して、電源基板ユニット２０及び表示ユニット３０を取り付けた状態の一例を示す図である。一般的な平面ディスプレイはその外縁部に沿って前面ユニット（前面キャビネットともいう）が設けられている。従って、前面ユニット付きの平面ディスプレイを単純に複数配置してマルチディスプレイ装置とした場合、各平面ディスプレイの隣り合う縁部分は、前面ユニットのフレーム幅分だけ広くなり、隣り合う平面ディスプレイの間隔が大きくなるため、視聴者に違和感を与えてしまうという問題があった。
【００５２】
これに対して、本発明のディスプレイ構造の場合、個々の平面ディスプレイに前面ユニットがなく、複数の平面ディスプレイ全体に対して前面ユニットを設けている。すなわち、図１８に示すように、前面ユニットのない平面ディスプレイ（表示ユニット３０、以下、平面ディスプレイ３０ともいう）を複数配置してマルチディスプレイ装置を構成している。そして、各平面ディスプレイ３０の隣り合う縁部分３０ａは、前面ユニットがない分だけ狭くなり、隣り合う平面ディスプレイの間隔が小さくなるため、視聴者に違和感を与えることがなくなる。また、このようなマルチディスプレイ装置とした場合も、前述の各実施形態で説明したように、各ユニットの取り付け位置・取り付け方向が予め決まっているため、容易に組立を行うことができる。
【００５３】
図１９は、本発明によるマルチディスプレイ装置に適用される前面ユニットの一例を示す図である。本例では、図１８に示すように、前面ユニットのない平面ディプレイが取り付けられた状態のマルチディスプレイ装置に対して、最後に前面ユニットを取り付けることになるため、前面ユニットは、平面ディスプレイを複数配置したときに全体として構成される画面サイズに応じたサイズを有している。図１９（Ａ）に示す前面ユニット４２は、図１８のマルチディスプレイ装置の外縁に合わせて形成されたフレームを有している。従って、図１８のマルチディスプレイ装置に前面ユニット４２を取り付けた場合、各平面ディスプレイ３０の隣り合う縁部分３０ａがそのまま見えることになる。
【００５４】
また、図１９（Ｂ）に示す前面ユニット４３は、さらに、図１８のマルチディスプレイ装置を構成する各平面ディスプレイ３０の隣り合う縁部分３０ａに合わせて形成されたフレーム４３ａを有している。従って、図１８のマルチディスプレイ装置に前面ユニット４３を取り付けた場合、各平面ディスプレイ３０の隣り合う縁部分３０ａは前面ユニット４３のフレーム４３ａで覆われることになる。なお、フレーム４３ａの色は縁部分３０ａの色よりもより目立たない色にするなど適宜使い分ければよい。
【００５５】
このように、本発明によるディスプレイ構造は、平面ディスプレイの壁面への取り付け、取り外しを容易にすることを目的としたものであるため、このようなディスプレイ構造を持つ平面ディスプレイを複数配置してマルチディスプレイ装置として壁面に取り付ける際にも組立を容易にすることができる。
【００５６】
また、大型の背面ユニットを使用することで、各平面ディスプレイの取り付け位置が予め決定され、位置調整の必要が無く、取り付け作業の効率が向上する。また、平面ディスプレイを複数設置したときの各ディスプレイの間隔が表示ユニットの幅のみに左右されるため、前面ユニット付きの平面ディスプレイの完成品を複数設置した場合よりも平面ディスプレイ同士を近づけて設置することができ、マルチディスプレイ時における各平面ディスプレイの隙間を目立たなくすることができる。
【００５７】
また、マルチディスプレイ装置の外縁を１つの前面ユニットで覆うことで、複数の平面ディスプレイからなるディスプレイを一つの大型ディスプレイとして見せることが可能となる。また、本発明を適用可能な平面ディスプレイとして、液晶ディスプレイを代表例として説明したが、これに限定されず、プラズマディスプレイや有機ＥＬディスプレイなど、他の薄型表示装置にも同様に適用することができる。
【符号の説明】
【００５８】
１…壁面、１０，１２，１６，１７…背面ユニット、１１，１３…取付部材、１１′…アングル部材、１３′…板状部材、１４…嵌込部材（凹部材）、１５…ビス穴、２０，２２…電源基板ユニット、２１，３１…引掛け具、２３…ビス止め固定部、３０，３２…表示ユニット、３３…凸部材、４０，４１，４２，４３…前面ユニット、５０…ハーネス、５１…巻き取り部、５２…コネクタ部。
【図１】
2012147147.tif 000003
【図２】
2012147147.tif 000004
【図３】
2012147147.tif 000005
【図４】
2012147147.tif 000006
【図５】
2012147147.tif 000007
【図６】
2012147147.tif 000008
【図７】
2012147147.tif 000009
【図８】
2012147147.tif 000010
【図９】
2012147147.tif 000011
【図１０】
2012147147.tif 000012
【図１１】
2012147147.tif 000013
【図１２】
2012147147.tif 000014
【図１３】
2012147147.tif 000015
【図１４】
2012147147.tif 000016
【図１５】
2012147147.tif 000017
【図１６】
2012147147.tif 000018
【図１７】
2012147147.tif 000019
【図１８】
2012147147.tif 000020
【図１９】
2012147147.tif 000021